(57)【要約】      （修正有）【課題】従来の球技等で使用される収納籠体において、盗難防止等に有効な蓋体を収納籠体から回動させ自動固定させるものを提供する。【解決手段】収納籠体上方部に得点板付き蓋体３Ｓを設ける事により、従来の上方部が解放されている収納籠体の盗難に対する危険性に対処し、また収納籠体上方部の得点板付き蓋体を衝立金具６Ｓにて開閉可能で得点板付き蓋を収納籠体に対して垂直にワンタッチで固定可能なり、加えて蓋体を閉動する際も衝立金具を押すことにより得点板付き蓋と衝立金具の固定が外れ、得点板付き蓋が回動金具１３を中心に回動可能状態になり容易に収納可能となる。【選択図】  図１
0003139470.tif 000002
【実用新案登録請求の範囲】
【請求項１】
本考案は各種球技等に利用されるボール等を収納可能な上面が開口する収納籠体及びその収納籠体の上面が開口可能な蓋体から構成されており、上記蓋体を垂直起立位置、中間位置、閉塞位置に回動し自動にて固定可能な自動固定装置を有する事を特徴とする得点板付きボール籠。
【請求項２】
本考案は上記の収納籠体の上面に開口可能な蓋体に各種球技に適用される得点表示装置を有して、閉塞状態に於いては蓋体と収納籠体を固定する事により盗難防止に有効な効果を発揮出来る事を特徴とする得点板付きボール籠。
【考案の詳細な説明】
【技術分野】
【０００１】
本考案は、バレーボール、バスケットボール、ドッジボール、サッカーボール、ハンド
ボール、ラグビーボール等の各種球技等に利用されるボール等を収納する収納具に関する
ものである。
【背景技術】
【０００２】
従来のボール籠はボールを収納する収納籠本体にネット等を収納する籠が取り付けられていたり、得点表示具にボール受け等を併設したもの等が知られている。
【特許文献１】実開平１−１５７７７３号公報
【特許文献２】実開昭６１−３１４７８号公報
【考案の開示】
【考案が解決しようとする課題】
【０００３】
しかしながら従来構造では、収納籠体の上方部は解放状態であり盗難等の危険性があり、また蓋を保管状態から使用状態にワンタッチで開閉出来る収納籠体が無かった。
【課題を解決するための手段】
【０００４】
本考案はこれらの問題を解決するために収納籠体上方部に得点板付き蓋を設ける事により、従来の上方部が解放されている収納籠体の盗難に対する危険性に対処している。
【０００５】
また、収納籠体上方部の得点板付き蓋を衝立金具にて開閉可能で得点板付き蓋を収納籠体に対して垂直にワンタッチで固定可能となった。
【０００６】
加えて、得点板付き蓋を閉塞する際も衝立金具を押すことにより得点板付き蓋と衝立金具の固定が外れ、得点板付き蓋が回動金具を中心に回動可能状態になり容易に収納可能となった。
【考案の効果】
【０００７】
本考案にて収納籠体に得点板を付けた事により、ボール籠と得点板を別々に使用する必
要が無く効率的な利用が可能となり、元々得点板を使用する際は球技において、試合若し
くは練習による試合等になるためにボール籠自体としては使用しない為、得点板を加えた
事により、より効率的な使用が可能である。
【０００８】
得点板を使用する際も収納籠体の得点板付き蓋を収納籠体から回動金具を中心に回動さ
せ垂直起立するだけで直ぐ使用可能となるため、準備に要する時間を低減できる。
【０００９】
得点板付き蓋はワンタッチで開動可能であり、児童等でも簡単に開動でき、また収納籠
体に対して垂直に起立させた時点で自動的に固定されるため、使用方法が簡略化可能で
あり、児童等も簡単に開動させる事が可能である。
【００１０】
得点板付き蓋を閉動させる時は衝立金具の中央部を押すことによりロックが外れるので
ロックが外れた状態でそのまま得点板付き蓋を閉動させるだけでよい。
【００１１】
また閉動させる場合に得点板付き蓋が重力に引かれ下に力が掛かってくるが、得点板付
き蓋下方にゴム脚を設ける事により指等を挟む事故を防ぐ効果を発揮出来る。
【００１２】
得点板付き蓋を完全に閉塞させた状態で、鍵等で得点板付き蓋を収納籠本体の正面フレ
ーム等とロックさせれば、ボール等の盗難防止に有効な効果を発揮出来る。
【考案を実施するための最良の形態】
【００１３】
本考案を実施するための最良の形態は図面をもって説明する。
【００１４】
図３若しくは図６は得点板付き蓋３Ｈの閉塞状態を示しているが、この状態の得点板付き蓋３Ｈを回動金具１３を中心にして回動させ上方へ持ち上げると図２若しくは図５の状態になり、さらに垂直に回動させると図１若しくは図４の状態になり衝立金具６Ｓが自動的に固定状態に入る。
【００１５】
尚、衝立金具６Ｓは固定されている状態ではあるが、安全面を考慮し衝立金具６Ｓの中心部のコの字金具１２を上方から下方へ押す事により、より強固に固定される。
【００１６】
また得点板付き蓋３Ｓを閉塞させる場合は衝立金具６Ｓ中心部のコの字金具１２を下方から上方へ押す事により固定状態が解除されるため、側面左右の衝立金具６Ｓの固定を解除し得点板付き蓋６Ｓを回動金具１３を中心に回動させる事により図２若しくは図５の中間状態へ移行しさらに回動させると図３若しくは図６の閉塞状態に移行される。
【００１７】
また、得点板付き蓋６Ｈを閉塞させる場合に得点板付き蓋６Ｓは重力に引かれ相応の力が掛かるが、ゴム脚７が得点板付き蓋３の裏側に固定されているために得点板付き蓋３と正面フレーム１との間で指を挟むという事故に際しても有効な手段を有している。
【００１８】
図７を用いて、固定される状態と固定状態解除を説明する。
【００１９】
まず、衝立金具６には衝立長ＦＢ１０と衝立短ＦＢ１１がネジ等で固定されているが完全に固定されて無く、ネジ等を中心に回動動作可能の状態となっている。
【００２０】
この時、衝立長ＦＢ１０は衝立短ＦＢよりネジ等の中心穴より長めとなっており、衝立長ＦＢ１０と衝立短ＦＢ１１と一緒に半固定されているコの字金具１２に衝立長ＦＢ１０が引っ掛かり、回動動作出来ない状態になっているが、衝立短ＦＢ１１はネジ等の中心穴より短い為にコの字金具１２に引っ掛からない為に回動動作可能状態である。
【００２１】
この特性を利用し、図２若しくは図５の状態から図１若しくは図４の状態へ回動動作にて移行する際に得点板付き蓋３が垂直起立状態になる状態に合わせ、衝立金具６Ｓの衝立長ＦＢ１０と衝立短ＦＢ１１が直線状態よりやや逆剃り状態になった状態に得点板付き蓋３Ｓの重量が衝立短ＦＢ１１とコの字金具１２との接触箇所で固定される為に、得点板付き蓋３を回動させ垂直起立させるだけで、衝立金具６が固定状態へ移行される。
【００２２】
閉塞状態へ移行させる場合は衝立短ＦＢ１１とコの字金具１２の接触を解除させる事により得点板付き蓋３Ｓの重量により回動動作にて図２若しくは図５から図３若しくは図６へと閉塞状態への移行が容易に行える。
【００２３】
また図３若しくは図６の閉塞状態でボール籠として上方箇所が閉塞している為に鍵等で得点板付き蓋３Ｈと正面フレーム１を固定させる事によりボール籠収納物を外部へ持ち出すことが不可能となるために、盗難等に有効な手段を提供可能となる。
【図面の簡単な説明】
【００２４】
【図１】得点板付き蓋の垂直起立状態を示す斜視図
【図２】得点板付き蓋の中間状態を示す斜視図
【図３】得点板付き蓋の閉塞状態を示す斜視図
【図４】得点板付き蓋の垂直起立状態を示す側面図
【図５】得点板付き蓋の中間状態を示す側面図
【図６】得点板付き蓋の閉塞状態を示す側面図
【図７】衝立金具平面図
【図８】衝立金具正面図
【符号の説明】
【００２５】
１    正面フレーム
２    側面フレーム
３    得点板付き蓋
４    得点表示板
５    黒板
６    衝立金具
７    ゴム脚
８    キャスター
９    ベース
１０  衝立長ＦＢ
１１  衝立短ＦＢ
１２  コの字金具
１３  回動金具
Ｈ    閉塞位置
Ｔ    中間位置
Ｓ    垂直起立位置
【図１】
0003139470.tif 000003
【図２】
0003139470.tif 000004
【図３】
0003139470.tif 000005
【図４】
0003139470.tif 000006
【図５】
0003139470.tif 000007
【図６】
0003139470.tif 000008
【図７】
0003139470.tif 000009
【図８】
0003139470.tif 000010
【手続補正書】
【提出日】平成19年11月29日(2007.11.29)
【手続補正１】
【補正対象書類名】実用新案登録請求の範囲
【補正対象項目名】全文
【補正方法】変更
【補正の内容】
【実用新案登録請求の範囲】
【請求項１】
本考案は各種球技等に利用されるボール等を収納可能な上面が開口する収納籠体及びその収納籠体の上面が開口可能な得点板付き蓋体から構成されており、上記得点板付き蓋体を垂直起立位置、中間位置、閉塞位置に回動し自動にて固定可能な自動固定装置を有する事を特徴とする得点板付きボール籠。
【請求項２】
本考案は収納籠体の上面に開口可能な得点板付き蓋体に各種球技に適用される得点表示装置を有して、閉塞状態に於いては得点板付き蓋体と収納籠体を固定する事により盗難防止に有効な効果を発揮出来る事を特徴とする請求項１に記載の得点板付きボール籠。